【手続補正書】
【提出日】平成17年11月10日(2005.11.10)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を収納する電動送風機室と、この電動送風機の吸込側に連通し塵埃を収集する吸気口を備えた集塵室壁を具備した集塵室と、吸気口に連通し集塵ホースまたは床ノズル等の吸口体の差込口を有して前記吸気口を覆うカバー体とを備え、集塵ホースまたは床ノズル等の吸口体の電気接続部と電気的に接続される接続端子と、この接続端子を保持する保持板とを設けた電気掃除機本体において、前記保持板は電気掃除機本体の吸気口近傍において仮固定したうえで、カバー体により保持板、及び、接続端子を電気掃除機本体に挟持固定した電気掃除機。
【請求項２】  集塵室壁の集塵室外側に略Ｌ字状に形成された案内部を具備し、保持板を、前記集塵室壁と前記案内部に挿入し電気掃除機本体に仮固定した請求項１記載の電気掃除機。
【請求項３】  集塵室壁の集塵室外側に爪体を設け、保持板を前記爪体と集塵室壁により係止し電気掃除機本体に保持板を仮固定した請求項１記載の電気掃除機。
【請求項４】  保持板に略コの字状に形成された略レール状の案内部を設け、集塵室壁の集塵室外側に板体を有し、保持板の前記略レール状の案内部を集塵室壁の前記板体に挿入し電気掃除機本体に保持板を仮固定した請求項１記載の電気掃除機。
【請求項５】  保持板に爪体を設け、集塵室壁の集塵室外側に係止部を有し、保持板の爪体を集塵室壁の係止部に係止し電気掃除機本体に保持板を仮固定した請求項１記載の電気掃除機。
【請求項６】  保持板の略中央近傍で保持板を仮固定する仮固定部の上方より、前記保持板の板厚の略２倍以上上方に離れて孔を設け、集塵室壁の集塵室外側にボスを配設し、保持板の前記孔に集塵室壁の前記ボスを挿入し、電気掃除機本体に前記保持板を仮固定した請求項１〜５のいずれか１項記載の電気掃除機。
【請求項７】  保持板の略中央近傍で保持板を仮固定する仮固定部の上方より、前記保持板の板厚の略２倍以上上方に離れてボスを設け、集塵室壁の集塵室外側に穴を配設し、保持板の前記ボスを集塵室壁の前記穴に挿入し電気掃除機本体に保持板を仮固定した請求項１〜５のいずれか１項記載の電気掃除機。
【請求項８】  接続端子の一端は集塵ホースの電気接続部と電気的に接続され、他端の電気的に接続を行わない部分に孔部を設け、保持板に接続端子を保持する接続端子取付け部を設け、同接続端子取付部には接続端子板厚より高い凸部を有し、前記接続端子の孔部を端子取付部の前記凸部に挿入し、同凸部を溶着して前記接続端子を保持板に固定した請求項１記載の電気掃除機。
【請求項９】  接続端子の一端を集塵ホースの電気接続部と電気的に接続され、他端を前方に折り返した形状で構成し、保持板に接続端子を保持する接続端子取付部と同接続端子取付部には爪部を有し、接続端子取付部の爪部に接続端子を前方に折り返した部分の端部板厚面を係止し接続端子を保持板に固定した請求項１記載の電気掃除機。
【発明の詳細な説明】
【０００１】
【発明の属する技術分野】
本発明は、吸気口部に接続端子を備えた電気掃除機に関するものである。
【０００２】
【従来の技術】
従来の電気掃除機を図９〜１０を用いて説明する。図において、４１は電動送風機４２が設けられた電動送風機室４３と、この電動送風機４２の吸込側に連通する集塵室４４と、集塵室壁４５に設けられた吸気口４６とを有し、吸気口４６に連通し、集塵ホース差込口４７と、爪部４８、雌ねじ部４９を具備し、吸気口４６を覆うカバー体５０を備えた掃除機本体である。次に、５１は、接続端子保持部５２とねじ孔部５３を有した保持板である。次に、５４は接続端子で、集塵ホース５５の電気接続部５６と電気的接続を行い、電気掃除機本体４１と集塵ホース５５とを制御する制御基板６１との電気的信号、集塵ホース５５への電源供給を行うリード線５７が接続されたものである。
【０００３】
上記構成により、組み立て方法としては、リード線５７が接続された接続端子５４は、保持板５１の接続端子保持部５２に保持され、保持板５１とあらかじめユニット状に形成される。次に、ユニット状となった保持板５１は、カバ−体５０に設けられた雌ねじ部４９と保持板５１のねじ孔５３とを対向させ、ねじ５８により、カバー体５０と保持板５１とを一体的に取り付け、接続端子５４を同時に挟持固定したものである。さらに、一体的となった、カバー体５０と保持板５１は、集塵室壁４５に設けられた係止部５９にカバー体５０に設けられた爪部４８を係止し固定する。次に、リード線５７を電気掃除機本体４１のリード線処理部６０に挟持させ、組み立てられるものである。
【０００４】
【発明が解決しようとする課題】
従来の電気掃除機にあっては、集塵室４４が負圧となり、集塵室壁４５が集塵室４４側に変形したとしても、接続端子５４は保持板５１に保持され、さらに、カバー体５０側にねじ５８により一体的に固定されているため、集塵ホース５５の電気接続部５６との位置関係が変化することがないため、安定した電気接続ができるものであったが、接続端子５４に接続されたリード線５７と一体的に固定されたカバー体５０を電気掃除機本体４１に組み込む際に、リード線５７を電気掃除機本体４１とカバー体５０、保持板５１との間に挟み、リード線５７の断線による不良となる恐れがあり安定した品質を供給できないものであり、また、これにより、組み立て時にリード線５７が挟み込まれていないかの確認等が必要となり、組み立て工数が増大するものであった。
【０００５】
本発明は、以上のような従来の課題を解決するものであって、電気接続部の位置関係が、変化することがなく安定した電気接続が行えるものであり、同時に、組み立て性の向上を行い、リード線挟み込み等による誤組み立てを無くし、品質向上を行った電気掃除機を提供することを目的としている。
【０００６】
【課題を解決するための手段】
上記目的を達成するために本発明は、電動送風機を収納する電動送風機室と、この電動送風機の吸込側に連通し塵埃を収集する吸気口を備えた集塵室壁を具備した集塵室と、吸気口に連通し集塵ホースの差込口を有して前記吸気口を覆うカバー体とを備え、集塵ホースの電気接続部と電気的に接続される接続端子と、この接続端子を保持する保持板とを設けた電気掃除機本体において、前記保持板は電気掃除機本体の吸気口近傍において仮固定したうえで、カバー体により保持板、及び、接続端子を電気掃除機本体に挟持固定することにより、集塵室が負圧となり、集塵室壁が集塵室側に変形したとしても、電気接続を行う接続端子が固定されている保持板は、集塵室壁に仮固定として、保持されているため、集塵室壁の変形量に対し微小の変形となるため、カバー体、集塵ホースの電気接続部との位置関係が、大きく変化することが無く、また同時に、リード線を有した接続端子を保持板に固定しユニット状としたものを、集塵室壁に保持させ、リード線を集塵室壁の溝部に挟持した後に、カバー体により保持板を固定するため、カバー体組み立て時に、リード線の挟み込み等による誤組み立てを無くし、品質向上と組立性向上を行った製品を提供することができる。
【０００７】
【発明の実施の形態】
本発明の請求項１記載の発明は、電動送風機を収納する電動送風機室と、この電動送風機の吸込側に連通し塵埃を収集する吸気口を備えた集塵室壁を具備した集塵室と、吸気口に連通し集塵ホースの差込口を有して前記吸気口を覆うカバー体とを備え、集塵ホースの電気接続部と電気的に接続される接続端子と、この接続端子を保持する保持板とを設けた電気掃除機本体において、前記保持板は電気掃除機本体の吸気口近傍において仮固定したうえで、カバー体により保持板、及び、接続端子を電気掃除機本体に挟持固定することにより、集塵室が負圧となり、集塵室壁が集塵室側に変形したとしても、電気接続を行う接続端子が固定されている保持板は、集塵室壁に仮固定として、保持されているため、集塵室壁の変形量に対し微小の変形となるため、カバー体、集塵ホースの電気接続部との位置関係が、大きく変化することが無いため、安定した電気接続が行えるものである。また同時に、リード線を有した接続端子を保持板に固定しユニット状としたものを、集塵室壁に保持させ、リード線を集塵室壁の溝部に挟持した後に、カバー体により保持板を固定するため、カバー体組み立て時に、リード線の挟み込み等による誤組み立てを無くし、品質向上と組立性向上を行うことができる。
【０００８】
本発明の請求項２記載の発明は、集塵室壁の集塵室外側に略Ｌ字状に形成された案内部を具備し、保持板を、前記集塵室壁と前記案内部に挿入し電気掃除機本体に仮固定することにより、請求項１記載の発明に加え、保持板の保持を略レール状とすることで、組立性の向上を行うものである。
【０００９】
本発明の請求項３記載の発明は、集塵室壁の集塵室外側に爪体を設け、保持板を前記爪体と集塵室壁により係止し電気掃除機本体に保持板を仮固定することにより、請求項１記載の発明に加え、保持板の保持を爪体により保持することで、確実に集塵室壁に保持することが可能であり、組立作業中に、一度保持させた、保持板がライン上で外れたりずれたりすることが無いため、繰り返しの作業や、誤組み立て防止となり、より安定した品質向上を行うものである。
【００１０】
本発明の請求項４記載の発明は、保持板に略コの字状に形成された略レール状の案内部を設け、集塵室壁の集塵室外側に板体を有し、保持板の前記略レール状の案内部を集塵室壁の前記板体に挿入し電気掃除機本体に保持板を仮固定することにより、請求項１記載の発明に加え、保持板の保持を略レール状とすることで、組立性の向上を行うものである。また、小部品である保持板に案内部を設けることで、成形時の寸法精度を向上させ、さらに、安定した電気接続を行うものである。
【００１１】
本発明の請求項５記載の発明は、保持板に爪体を設け、集塵室壁の集塵室外側に係止部を有し、保持板の爪体を集塵室壁の係止部に係止し電気掃除機本体に保持板を仮固定することにより、請求項１記載の発明に加え、保持板の保持を爪体により保持することで、確実に集塵室壁に保持することが可能であり、組立作業中に、一度保持された保持板がライン上で外れたりずれたりすることが無いため、繰り返しの作業や、誤組み立て防止となり、より安定した品質向上を行うものである。また、小部品である保持板に爪体を設けることで、成形時の寸法精度を向上させ、さらに、安定した電気接続を行うものである。
【００１２】
本発明の請求項６記載の発明は、保持板の略中央近傍で保持板を仮固定する仮固定部の上方より、前記保持板の板厚の略２倍以上上方に離れて孔を設け、集塵室壁の集塵室外側にボスを配設し、保持板の前記孔に集塵室壁の前記ボスを挿入し電気掃除機本体に前記保持板を仮固定することにより、請求項１から５記載の発明に加え、集塵室壁に仮固定、保持された保持板の略中央近傍で、集塵室壁のボスに孔を対向させることで、左右上下に確実に仮固定でき、さらに、集塵室が負圧となり集塵室壁が集塵室側に変形したとしても、一番変形量の大きい中央付近においては、ボスと孔にて仮固定しているため、保持板は、集塵室壁と同様に変形することがなく、カバー体、集塵ホースの電気接続部との位置関係が、大きく変化することが無いため、安定した電気接続を行うものである。
【００１３】
本発明の請求項７記載の発明は、保持板の略中央近傍で保持板を仮固定する仮固定部の上方より、前記保持板の板厚の略２倍以上上方に離れてボスを設け、集塵室壁の集塵室外側に穴を配設し、保持板の前記ボスを集塵室壁の前記穴に挿入し電気掃除機本体に前記保持板を仮固定することにより、請求項１から５記載の発明に加え、集塵室壁に仮固定、保持された保持板の略中央近傍で、集塵室壁のボスに穴を対向させることで、左右上下に確実に仮固定でき、さらに、集塵室が負圧となり集塵室が集塵室側に変形したとしても、一番変形量の大きい中央付近においては、ボスと穴にて仮固定しているため、保持板は、集塵室壁と同様に変形することがなく、カバー体、集塵ホースの電気接続部との位置関係が、大きく変化することが無いものである。
【００１４】
本発明の請求項８記載の発明は、接続端子の一端は集塵ホースの電気接続部と電気的に接続され、他端の電気的に接続を行わない部分に孔部を設け、保持板に接続端子を保持する接続端子取付け部を設け、同接続端子取付部には接続端子板厚より高い凸部を有し、前記接続端子の孔部を端子取付部の前記凸部に挿入し、同凸部を溶着して前記接続端子を保持板に固定するもので、接続端子の集塵ホースの電気接続部と電気接続されない他端側を保持板と溶着固定することにより、電気接続のため電気接続部により、後方に圧接される接続端子の浮き上がり防止を行うものである。これにより、接続端子の浮き上がり防止を、カバー体、保持板の２部品で行っていることとなり、どちらかが、変形等を起こしたとしても、確実に電気接続が行えるもので、耐久性向上、品質向上が行えるものである。
【００１５】
本発明の請求項９記載の発明は、接続端子の一端を集塵ホースの電気接続部と電気的に接続され、他端を前方に折り返した形状で構成し、保持板に接続端子を保持する接続端子取付部と同接続端子取付部には爪部を有し、接続端子取付部の爪部に接続端子を前方に折り返した部分の端部板厚面を係止し接続端子を保持板に固定するもので、保持板の爪部にて前方への固定を行うことで、電気接続のため、電気接続部により、後方に圧接される接続端子の浮き上がり防止を行うものである。これにより、接続端子の浮き上がり防止を、カバー体、保持板の２部品で行っていることとなり、どちらかが、変形等を起こしたとしても、確実に電気接続が行えるものである。また、爪部により固定しているため、保持板と、接続端子は取り外し可能である。これにより、耐久性向上、品質向上が行えるものであり、また、修理時のサービス性向上と、分別回収が可能なため、リサイクル性向上が行えるものである。
【００１６】
【実施例】
（実施例１）
以下、本発明の第１の実施例を、図１〜８を用いて説明する。
【００１７】
図１、図２、図６において、１は電動送風機２を収納する電動送風機室３と、この電動送風機２の吸込側に連通する集塵室４と集塵室壁５に吸気口６と案内部７と被係止部８と溝部９を有し、吸気口６に連通し集塵ホース差込口１０と挟持リブ１１と係止部１２とを具備したカバー体１３により吸気口６を覆って構成された電気掃除機本体である。次に、１４は、接続端子保持部１５を有した保持板である。次に、１６は、集塵ホース１７の電気接続部１８と電気的接続を行い、集塵ホース１７と、電気掃除機本体１を制御する、制御基板１９との電気的信号、集塵ホース１７への電源供給を行うリード線２０が接続された接続端子である。
【００１８】
リード線２０が接続された接続端子１６は、保持板１４の接続端子保持部１５に固定される。これにより、保持板１４と接続端子１６とリード線２０は、ユニット状となるものである。次に、ユニット状となった保持板１４は、集塵室壁５の吸気口６近傍に設けられた案内部７により左右を保持され仮固定される。次に、保持板１４を仮固定した後にリード線２０を集塵室壁５に設けられた溝部９により、所定位置に固定する。次に、カバー体１３を集塵室壁５の被係止部８と、カバー体１３に設けられた係止部１２により固定し、吸気口６を覆うと同時に、挟持リブ１１により、接続端子１６を保持板１４と共に集塵室壁５とで挟持し、固定し構成したものである。これにより、接続端子１６と集塵ホース１７の電気接続部１８とを、圧接させることで、電気接続を行い、電気掃除機本体１を動作、制御するものである。
【００１９】
上記構成による作用は、集塵室４が負圧となり、集塵室壁５が集塵室４側に変形したとしても、電気接続を行う接続端子１６が固定されている保持板１４は、集塵室壁５に仮固定として保持されているため、集塵室壁５の変形量に対し微小の変形となるため、カバー体１３、集塵ホース１７の電気接続部１８との位置関係が、大きく変化することが無いため、圧接量が変化しない。このため、安定した電気接続が行えるものである。また同時に、リード線２０が接続された接続端子１６を保持板１４に固定しユニット状としたものを、集塵室壁５に保持させ、リード線２０を集塵室壁５の溝部９に挟持し、所定の位置へ固定した後に、カバー体１３により保持板１４を固定するため、カバー体１３組み立て時に、リード線２０の挟み込み等による誤組み立てを無くし、品質向上と組立性向上を行った製品を提供することができる。
【００２０】
ここで、接続端子１６の保持板１４への固定について説明する。
【００２１】
板状の接続端子１６の一端により集塵ホース１７の電気接続部１８との電気的接続を行い、他端を前方に折り返し形状３２とし、保持板１４の接続端子取付部１５の周囲を接続端子１６の幅、板厚と略同一の幅、深さを有する凹部３０とし、また、凹部３０を形成している外周のリブに爪部３３を形成し、これにより、接続端子１６は、凹部３０に挿入されるとともに、爪部３３に接続端子１６の折り返し形状３２の端部板厚面３４を係止し保持板１４に固定するものである。
【００２２】
またその際、集塵ホース１７の電気接続部１８との電気的接続を行う部分以外に孔部２９を設け、凹部３０内に接続端子１６の板厚より高い凸部３１を構成したものである。
【００２３】
上記構成による作用は、保持板１４の前方への固定を爪部３３にて行うことで、電気接続のため、電気接続部１８により、後方に圧接される接続端子１６の浮き上がり防止が行えるものである。これにより、接続端子１６の浮き上がり防止を、カバー体１３、保持板１４の２部品で行っていることとなり、どちらかが、変形等を起こしたとしても、確実に電気接続が行えるものである。また、接続端子１６を爪部３３により固定しているため、保持板１４と、接続端子１６は取り外し可能である。これにより、耐久性向上、品質向上が行えるものであり、また、修理時のサービス性向上と、分別回収が可能なため、リサイクル性の向上が行えるものである。
【００２４】
次に、ユニット状となった保持板１４の集塵室壁５への仮固定について説明する。
【００２５】
保持板１４の保持部である集塵室４外側に略Ｌ字に形成された案内部７を上方が開放した略レール状とし、保持板１４の略中央近傍に孔２７を設け、前記孔２７が挿入されるボス２８ａを集塵室壁５に構成したものである。また、図６に示すように、集塵室壁５の略レール状の案内部７とボス２８ａの位置は案内部７上方より、保持板１４の板厚の約２倍以上の距離Ａを有して構成したものである。これにより、保持板１４を集塵室壁５に保持する際は、上方より、保持板１４を略レール状の案内部７にスライド挿入しながら孔２７にボス２８ａを挿入することで組み立てられるものである。
【００２６】
上記構成による作用は、保持板１４の組み立てを簡単に行うことが可能となり、組立性の向上を行えるものである。
【００２７】
また、保持板１４の左右を案内部７により保持し、さらに、孔２７にボス２８ａを挿入することで、仮固定と、上下、左右の位置決めを確実に行えるものである。
【００２８】
また、本実施例では、保持板１４に孔２７を設け、ボス２８ａを集塵室壁２５に構成しているが、逆の場合でも同様の効果が得られるのは言うまでもないことである。
【００２９】
（実施例２）
次に、本発明の第２の実施例を、図４、図７を用いて説明する。なお上記実施例と同一構成部品については同一符号を付して、その説明を省略する。
【００３０】
保持板１４に、略コの字状に形成され下面が開放した略レール状の案内部２３を設け、集塵室壁５に前記、案内部２３が挿入される板体２４を構成し、保持板１４の略中央近傍にボス２８ｂを設け、集塵室壁５に前記ボス２８ｂが挿入される穴２１を構成したものである。また、図７に示すように、保持板１４の略レール状の案内部２３とボス２８ｂの位置は案内部２３の上方より、保持板１４の板厚の約２倍以上の距離Ａを有して構成したものである。
【００３１】
これにより、保持板１４を集塵室壁５に保持する際は、上方より、保持板１４の略レール状の案内部２３を板体２４にスライド挿入しながら穴２１にボス２８ｂを挿入することで組み立てられるものである。
【００３２】
上記構成による作用は、保持板１４の組み立てを簡単に行うことが可能となり、組立性の向上を行えるものである。また、小部品である保持板１４に形状が複雑な案内部２３を設けることで、成形時の寸法精度が向上し、さらに、安定した電気接続が行えるものである。
【００３３】
また、保持板１４の左右を案内部２３により保持し、さらに、穴２１をボス２８ｂに挿入することで、仮固定と、上下、左右の位置決めを確実に行えるものである。
【００３４】
さらに、集塵室４が負圧となり集塵室壁５が集塵室４側に変形したとしても、一番変形量の大きい中央付近においては、ボス２８ｂと穴２１にて仮固定しているため、保持板１４は、集塵室壁５と同様に変形することがなく、カバー体１３、集塵ホース１７の電気接続部１８との位置関係が、大きく変化することが無いものである。
【００３５】
また、本実施例では、保持板１４にボス２８ｂを設け、集塵室壁５に穴２１を構成しているが、逆の場合でも同様の効果が得られるのは言うまでもないことである。
【００３６】
（実施例３）
次に、本発明の第３の実施例を、図３を用いて説明する。なお上記実施例と同一構成部品については同一符号を付して、その説明を省略する。
【００３７】
保持板１４の保持部構成を爪体２２により、構成したものである。
【００３８】
これにより、保持構成を爪体２２とすることで、仮固定でありながら、爪体２２と保持板１４を引っ掛けることが可能となるため確実に仮固定が可能となるものである。
【００３９】
上記構成による作用は、保持板１４の保持を爪体２２により保持することで、確実に集塵室壁５に保持することが可能であり、組立作業中に、一度保持させた保持板１４がライン上で外れたりずれたりすることが無いため、繰り返し保持させる等の作業や、誤組み立て防止となり、より安定した品質向上が行えるものである。
【００４０】
（実施例４）
次に、本発明の第４の実施例を、図５を用いて説明する。なお上記実施例と同一構成部品については同一符号を付して、その説明を省略する。
【００４１】
保持板１４に爪体２５を設け、集塵室壁５に前記爪体２５に係止される係止部２６を構成したものである。
【００４２】
これにより、仮固定を爪体２５で行うことにより、仮固定でありながら、爪体２５と係止部２６により保持板１４を引っ掛けることが可能となるため確実な仮固定が可能となるものである。
【００４３】
上記構成による作用は、保持板１４の保持を爪体２５により保持することで、確実に集塵室壁５に保持することが可能であり、組立作業中に、一度保持された、保持板１４がライン上で外れたりずれたりすることが無いため、繰り返し保持を行う等の作業や、誤組み立て防止となり、より安定した品質向上が行えるものである。また、小部品である保持板１４に形状が複雑な爪体２５を設けることで、成形時の寸法精度が向上し、さらに、安定した電気接続が行えるものである。
【００４４】
（実施例５）
次に、本発明の第５の実施例を、図８を用いて説明する。なお上記実施例と同一構成部品については同一符号を付して、その説明を省略する。
【００４５】
図８に示すように、凹部３０に接続端子１６を挿入すると同時に、凸部３１に接続端子１６の孔部２９を挿入し組み立てた後に、凸部３１を溶着し接続端子１６を保持板１４に固定したものである。
【００４６】
上記構成による作用は、接続端子１６の集塵ホース１７の電気接続部１８と電気接続される他端を保持板１４と溶着し固定することにより固定がより確実なものとなり、電気接続のため、電気接続部１８により、後方に圧接される接続端子１６の浮き上がり防止が行えるものである。これにより、接続端子１６の浮き上がり防止を、カバー体１３、保持板１４の２部品で行っていることとなり、どちらかが、変形等を起こしたとしても、確実に電気接続が行えるもので、耐久性向上、品質向上が行えるものである。
【００４７】
なお、上記実施例では、集塵ホース１７を差込口１０へ挿入するタイプの電気掃除機について示しているが、差込口１０へ床ノズルや他の吸口体の差込部を直接挿入するタイプの電気掃除機についても同様の効果が得られるのは言うまでもないことである。
【００４８】
【発明の効果】
本発明の請求項１記載の発明によれば、集塵室が負圧となり、集塵室壁が集塵室側に変形したとしても、電気接続を行う接続端子が固定されている保持板は、集塵室壁に仮固定として、保持されているため、集塵室壁の変形量に対し微小の変形となるため、カバー体、集塵ホースの電気接続部との位置関係が、大きく変化することが無いため、安定した電気接続が行えるものである。また同時に、リード線を有した接続端子を保持板に固定しユニット状としたものを、集塵室壁に保持させ、リード線を集塵室壁の溝部に挟持した後に、カバー体により保持板を固定するため、カバー体組み立て時に、リード線の挟み込み等による誤組み立てを無くし、品質向上と組立性向上を行ったものである。
【００４９】
本発明の請求項２記載の発明によれば、請求項１記載の発明に加え、保持板の保持をレール状とすることで、組立性の向上を行ったものである。
【００５０】
本発明の請求項３記載の発明によれば、請求項１記載の発明に加え、保持板の保持を爪体により保持することで、確実に集塵室壁に保持することが可能であり、組立作業中に一度保持させた保持板がライン上で外れたりずれたりすることが無いため、繰り返しの作業や、誤組み立て防止となり、より安定した品質向上が行えるものである。
【００５１】
本発明の請求項４記載の発明によれば、請求項１記載の発明に加え、保持板の保持をレール状とすることで、組立性向上を行ったものである。また、小部品である保持板に案内部を設けることで、成形時の寸法精度が向上し、さらに、安定した電気接続部が行えるものである。
【００５２】
本発明の請求項５記載の発明によれば、請求項１記載の発明に加え、保持板の保持を爪体により保持することで、確実に集塵室壁に保持することが可能であり、組立作業中に一度保持させた保持板がライン上で外れたりずれたりすることが無いため、繰り返しの作業や、誤組み立て防止となり、より安定した品質向上が行えるものである。また、小部品である保持板に爪体を設けることで、成形時の寸法精度が向上し、さらに、安定した電気接続部が行えるものである。
【００５３】
本発明の請求項６記載の発明によれば、請求項１から５記載の発明に加え、集塵室壁に仮固定、保持された保持板の略中央近傍で、集塵室壁のボスに孔を対向させることで、左右上下に確実に仮固定でき、さらに、集塵室が負圧となり集塵室壁が集塵室側に変形したとしても、一番変形量の大きい中央付近においては、ボスと孔にて仮固定しているため、保持板は、集塵室壁と同様に変形することがなく、カバー体、集塵ホースの電気接続部との位置関係が、大きく変化することが無いため、安定した電気接続が行えるものである。
【００５４】
本発明の請求項７記載の発明によれば、請求項１から５記載の発明に加え、集塵室壁に仮固定、保持された保持板の略中央近傍で、集塵室壁のボスに穴を対向させることで、左右上下に確実に仮固定でき、さらに、集塵室が負圧となり集塵室壁が集塵室側に変形したとしても、一番変形量の大きい中央付近においては、ボスと穴にて仮固定しているため、保持板は、集塵室壁と同様に変形することがなく、カバー体、集塵ホースの電気接続部との位置関係が、大きく変化することが無い。また、小部品である保持板に集塵室と保持するボスを設けることで、成形時の寸法精度が向上し、さらに、安定した電気接続が行えるものである。
【００５５】
本発明の請求項８記載の発明によれば、接続端子の浮き上がり防止を、カバー体、保持板の２部品で行っていることとなり、どちらかが、変形等を起こしたとしても、確実に電気接続が行えるもので、耐久性向上、品質向上が行えるものである。
【００５６】
本発明の請求項９記載の発明によれば、接続端子の浮き上がり防止を、カバー体、保持板の２部品で行っていることとなり、どちらかが、変形等を起こしたとしても、確実に電気接続が行えるものである。また、爪部により固定しているため、保持板と、接続端子は取り外し可能である。これにより、耐久性向上、品質向上が行えるものであり、また、修理時のサービス性向上と、分別回収が可能なため、リサイクル性向上が行えるものである。
【図面の簡単な説明】
【図１】
本発明の第１の実施例を示す電気掃除機の断面図
【図２】
同図１の拡大図
【図３】
本発明の第３の実施例を示す電気掃除機の拡大図
【図４】
本発明の第２の実施例を示す電気掃除機の拡大図
【図５】
本発明の第４の実施例を示す電気掃除機の拡大図
【図６】
本発明の第１の実施例を示す電気掃除機の拡大図
【図７】
本発明の第２の実施例を示す電気掃除機の拡大図
【図８】
本発明の第５の実施例を示す電気掃除機の拡大図
【図９】
従来の電気掃除機を示す図
【図１０】
同電気掃除機の部分拡大図
【符号の説明】
１    電気掃除機本体
４    集塵室
５    集塵室壁
６    吸気口
７    案内部
１３  カバー体
１４  保持板
１６  接続端子
１８  電気接続部
２０  リード線
【手続補正２】
【補正対象書類名】図面
【補正対象項目名】図８
【補正方法】変更
【補正の内容】
【図８】
2001087186.tif 000001